(57)【要約】【課題】ハウリングを防止するために一のスピーカからの音響出力を低減させた場合であっても、聴感上の違和感を低減できるカラオケ装置を提供する。【解決手段】複数のスピーカと、マイクとを有するカラオケ装置であって、前記マイクが一のスピーカに所定距離近づいた場合、当該一のスピーカの出力音量を低減させ、且つ前記複数のスピーカからの合計出力音量が変わらないように、他のスピーカの出力音量を調整する音量制御部を有するカラオケ装置。【選択図】図４
2017219581.tif 000002
【特許請求の範囲】
【請求項１】
複数のスピーカと、マイクとを有するカラオケ装置であって、
前記マイクが一のスピーカに所定距離近づいた場合、当該一のスピーカの出力音量を低減させ、且つ前記複数のスピーカからの合計出力音量が変わらないように、他のスピーカの出力音量を調整する音量制御部を有するカラオケ装置。
【請求項２】
前記複数のスピーカは少なくとも３つ設けられ、
前記音量制御部は、前記低減させた出力音量を前記他のスピーカの数で除した平均の出力音量を算出し、前記他のスピーカそれぞれの出力音量が前記平均の出力音量を加えた値となるよう調整すること特徴とする請求項１記載のカラオケ装置。
【請求項３】
前記複数のスピーカは少なくとも３つ設けられ、
前記音量制御部は、前記一のスピーカに対する他のスピーカそれぞれの距離に基づく比率を前記低減させた出力音量に乗算した、距離に基づく出力音量を前記他のスピーカ毎に算出し、前記他のスピーカそれぞれの出力音量が前記距離に基づく出力音量を加えた値となるよう調整すること特徴とする請求項１記載のカラオケ装置。
【請求項４】
前記複数のスピーカは少なくとも３つ設けられ、
前記音量制御部は、前記他のスピーカそれぞれの出力音量が均等となるよう調整すること特徴とする請求項１記載のカラオケ装置。
【発明の詳細な説明】
【技術分野】
【０００１】
本発明はカラオケ装置に関する。
【０００２】
カラオケ歌唱において、マイクから入力される歌唱者の歌唱音声は、アンプによって増幅され、スピーカから出力（放音）される。ここで、カラオケボックスなど、同じ空間にスピーカとマイクがある環境において、スピーカから出力された歌唱音声やカラオケ演奏音をマイクが拾うことによってハウリングが生じる。
【０００３】
マイクがスピーカに極端に近づいた場合に発生するハウリングを抑制する方法のひとつとして、ハウリングの原因となっているスピーカから発せられるマイク音声信号や楽音信号の音響出力を低減することが考えられる。たとえば特許文献１には、複数のスピーカそれぞれにワイヤレスマイクからの無線信号を受信する信号捕捉器を近接して配置し、ある信号捕捉器による受信強度が過大になった際に、その信号捕捉器の至近に配置されたスピーカのマイク音声信号の音響出力（マイク音響出力）を低減することでハウリングを防止する技術が開示されている。
【先行技術文献】
【特許文献】
【０００４】
【特許文献１】特開２００６−３１１０７１号公報
【発明の概要】
【発明が解決しようとする課題】
【０００５】
しかし、特許文献１に記載された技術の場合、ハウリング防止のために受信強度が過大になった信号捕捉器の至近に配置された一のスピーカのマイク音響出力を禁止または抑圧することから全体のマイク音響出力が低下する。このように、全体のマイク音響出力を変化させた場合、歌唱者や聴衆は聴感上の違和感を抱いてしまう。
【０００６】
本発明の目的は、ハウリングを防止するために一のスピーカからの音響出力を低減させた場合であっても、聴感上の違和感を低減させるカラオケ装置を提供することにある。
【課題を解決するための手段】
【０００７】
上記目的を達成するための主たる発明は、複数のスピーカと、マイクとを有するカラオケ装置であって、前記マイクが一のスピーカに所定距離近づいた場合、当該一のスピーカの出力音量を低減させ、且つ前記複数のスピーカからの合計出力音量が変わらないように、他のスピーカの出力音量を調整する音量制御部を有するカラオケ装置である。
本発明の他の特徴については、後述する明細書及び図面の記載により明らかにする。
【発明の効果】
【０００８】
本発明によれば、ハウリングを防止するために一のスピーカからの音響出力を低減させた場合であっても、聴感上の違和感を低減させることができる。
【図面の簡単な説明】
【０００９】
【図１】実施形態に係るカラオケ装置の概略を示す図である。
【図２】実施形態に係るカラオケ本体のハードウェア構成例を示す図である。
【図３】実施形態に係る音響処理部のハードウェア構成例を示す図である。
【図４】実施形態に係る他のスピーカからの出力音量の調整の例を模式的に示した図である。
【図５】実施形態に係る他のスピーカからの出力音量の調整の別例を模式的に示した図である。
【図６】実施形態に係る他のスピーカからの出力音量の調整の別例を模式的に示した図である。
【図７】実施形態に係る他のスピーカからの出力音量の調整の別例を模式的に示した図である。
【発明を実施するための形態】
【００１０】
後述する明細書及び図面の記載から、上記の主たる発明の他、少なくとも以下の事項が明らかとなる。
【００１１】
すなわち、前記複数のスピーカは少なくとも３つ設けられ、前記音量制御部は、前記低減させた出力音量を前記他のスピーカの数で除した平均の出力音量を算出し、前記他のスピーカそれぞれの出力音量が前記平均の出力音量を加えた値となるよう調整するカラオケ装置が明らかとなる。
また、前記複数のスピーカは少なくとも３つ設けられ、前記音量制御部は、前記一のスピーカに対する他のスピーカそれぞれの距離に基づく比率を前記低減させた出力音量に乗算した、距離に基づく出力音量を前記他のスピーカ毎に算出し、前記他のスピーカそれぞれの出力音量が前記距離に基づく出力音量を加えた値となるよう調整するカラオケ装置が明らかとなる。
或いは、前記複数のスピーカは少なくとも３つ設けられ、前記音量制御部は、前記他のスピーカそれぞれの出力音量が均等となるよう調整するカラオケ装置が明らかとなる。
これらのカラオケ装置によれば、聴感上の違和感をより低減させることができる。
【００１２】
＜実施形態＞
図１〜図７を参照して、実施形態に係るカラオケ装置１について説明する。
【００１３】
＝＝カラオケ装置＝＝
カラオケ装置１は、歌唱者が選択した楽曲のカラオケ演奏及び歌唱者が歌唱を行うための装置である。図１に示すように、カラオケ装置１は、カラオケ本体１０、スピーカ２０ａ〜スピーカ２０ｃ、表示装置３０、マイク４０、及びリモコン装置５０を備える。
【００１４】
カラオケ本体１０は、予約登録された楽曲の演奏制御、歌詞や背景映像等の表示制御、マイク４０を通じて入力された歌唱音声信号の処理といった、カラオケ歌唱に関する各種の制御を行う。図２はカラオケ本体１０のハードウェア構成例を示す図である。カラオケ本体１０は、制御部１１、通信部１２、記憶部１３、音響処理部１４、表示処理部１５及び操作部１６を備える。各構成はインターフェース（図示なし）を介してバスＢに接続されている。
【００１５】
制御部１１は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。
【００１６】
通信部１２は、ルーター（図示なし）を介してカラオケ本体１０を通信回線に接続するためのインタフェースを提供する。
【００１７】
記憶部１３は、各種のデータを記憶する大容量の記憶装置であり、たとえばハードディスクドライブなどである。
【００１８】
記憶部１３は、複数の楽曲データを記憶する。楽曲データは、カラオケ装置１によりカラオケ演奏を行うためのデータである。カラオケ装置１が楽曲データに基づいて楽曲を演奏することにより、歌唱者はカラオケの歌唱が可能となる。楽曲データは、楽曲毎に所定のＩＤ（楽曲ＩＤ）が付与されている。
【００１９】
音響処理部１４は、制御部１１の制御に基づき、カラオケ楽曲に対する演奏の制御およびマイク４０を通じて入力された音声信号の処理を行う。
【００２０】
図３に示すように、本実施形態に係る音響処理部１４は、ＭＩＤＩ音源１４０、マイク出力スイッチ回路１４１、ミキサ１４２、アンプ１４３を含む。ＭＩＤＩ音源１４０は、楽曲データに基づいて楽音信号を生成する。マイク出力スイッチ回路１４１は、マイク４０からのマイク音声信号の出力をオンオフする回路である。この例において、マイク出力スイッチ回路１４１は、スピーカ２０ａに対応するスイッチ１４１ａ、スピーカ２０ｂに対応するスイッチ１４１ｂ、スピーカ２０ｃに対応するスイッチ１４１ｃを含む。ミキサ１４２は、ＭＩＤＩ音源１４０からの楽音信号、およびマイク出力スイッチ回路１４１からのマイク音声信号それぞれを適当な比率でミキシングしてアンプ１４３に出力する。この例において、ミキサ１４２は、スピーカ２０ａに対応するミキシング回路１４２ａ、スピーカ２０ｂに対応するミキシング回路１４２ｂ、スピーカ２０ｃに対応するミキシング回路１４２ｃを含む。アンプ１４３は、ミキサ１４２からのミキシング信号を増幅回路で増幅し、放音信号としてスピーカ２０ａ〜スピーカ２０ｃへ出力する。この例において、アンプ１４３は、スピーカ２０ａに対応する増幅回路１４３ａ、スピーカ２０ｂに対応する増幅回路１４３ｂ、スピーカ２０ｃに対応する増幅回路１４３ｃを含む。
【００２１】
このような構成により、スピーカ２０ａ〜スピーカ２０ｃからは楽音信号に基づくカラオケ演奏音、およびマイク音声信号に基づく歌唱音声が放音される。各スピーカからの出力音量は、入力されるミキシング信号の大きさ、及びアンプ１４３の増幅率により決定される。本実施形態において、「出力音量」とは、マイク音声信号及び楽音信号の音響出力の値をいう。また、「合計出力音量」とは、各スピーカから放音される出力音量の合計値をいう。
【００２２】
表示処理部１５は、制御部１１の制御に基づき、表示装置３０における各種表示に関する処理を行う。たとえば、表示処理部１５は、カラオケ演奏時における背景映像に歌詞テロップや各種アイコンが重ねられた映像を表示装置３０に表示させる。
【００２３】
操作部１６は、パネルスイッチおよびリモコン受信回路などからなり、歌唱者によるカラオケ装置１のパネルスイッチあるいはリモコン装置５０の操作に応じて予約信号、演奏中止信号などの操作信号を制御部１１に対して出力する。制御部１１は、操作部１６からの操作信号を検出し、対応する処理を実行する。
【００２４】
スピーカ２０ａ〜スピーカ２０ｃは、上述の通り、カラオケ本体１０からの放音信号に基づいて放音するための構成である。本実施形態では、３つのスピーカがある構成で説明を行うが、スピーカは少なくとも２つあればよい。表示装置３０はカラオケ本体１０からの信号に基づいて映像や画像を画面に表示するための構成である。マイク４０は歌唱者の音声（歌唱音声）をアナログの音声信号に変換してカラオケ本体１０に入力するための構成である。
【００２５】
リモコン装置５０は、カラオケ本体１０に対する各種操作をおこなうための装置である。歌唱者はリモコン装置５０を用いて楽曲の予約等を行うことができる。リモコン装置５０のディスプレイには各種操作の指示入力を行うためのＧＵＩが表示される。
【００２６】
［音量制御部］
ここで、図２に示すように、カラオケ本体１０（制御部１１）は、ＣＰＵがメモリに記憶されるプログラムを実行することにより音量制御部１１ａとして機能する。音量制御部１１ａは、マイク４０が一のスピーカに所定距離近づいた場合、当該一のスピーカの出力音量を低減させ、且つ複数のスピーカからの合計出力音量が変わらないように、他のスピーカの出力音量を調整する。なお、「出力音量の低減」は、出力音量の値を減らすことのほか、出力音量の値を０にすることも含む。
【００２７】
マイク４０がスピーカに所定距離近づいたかどうかは、公知の手法（たとえば、特開２００６−３１１０７１号公報に記載の方法）を応用することができる。本実施形態において、各スピーカの近傍にマイク４０からの信号を受信するためのアンテナ（図示なし）を設ける。音響制御部１１ａは、各アンテナからの受信強度をモニタリングする。たとえば、スピーカ２０ａ近傍のアンテナからの受信強度が所定値以上になった場合、音量制御部１１ａは、マイク４０がスピーカ２０ａに所定距離近づいたと判断し、スピーカ２０ａからマイク音声信号及び楽音信号が出力されないよう、スピーカ２０ａに対応するスイッチ１４１ａをオフにし、且つアンプ１４３ａの増幅率を０とする。
【００２８】
一方、音量制御部１１ａは、複数のスピーカからの合計出力音量が変わらないように、他のスピーカの出力音量を調整する。以下、音量制御部１１ａの制御について詳述する。
【００２９】
（第１の例）
図４は、音量制御部１１ａによる制御の第１の例を示す模式図である。この例において、通常時の各スピーカからの出力音量は、それぞれ６０ｐｈｏｎであるとする。
【００３０】
ここで、音量制御部１１ａは、マイク４０がスピーカ２０ａに所定距離近づいたと判断し、スピーカ２０ａからの出力音量を０にしたとする。
【００３１】
この場合、音量制御部１１ａは、スピーカ２０ａ〜スピーカ２０ｃからの合計出力音量（１８０ｐｈｏｎ）が変わらないようにスピーカ２０ｂ及びスピーカ２０ｃの出力音量を調整する。たとえば、音量制御部１１ａは、スピーカ２０ｂの出力音量が１２０ｐｈｏｎ（元々の出力音量６０ｐｈｏｎ＋スピーカ２０ａから出力されていた出力音量６０ｐｈｏｎ）となるよう、増幅回路１４３ｂにおける増幅率を２倍に設定する。
【００３２】
このようなカラオケ装置１によれば、一のスピーカの出力音量を低減させた分だけ他のスピーカの出力音量を増加させることにより、合計出力音量として一定の値を保つことができる。従って、歌唱者等に与える聴感上の違和感を低減できる。
【００３３】
（第２の例）
第２の例において、音量制御部１１ａは、低減させた出力音量を他のスピーカの数で除した平均の出力音量を算出し、他のスピーカそれぞれの出力音量が平均の出力音量を加えた値となるよう調整する。
【００３４】
図５は、音量制御部１１ａによる制御の第２の例を示す模式図である。この例において、通常時の各スピーカからの出力音量は、それぞれ６０ｐｈｏｎであるとする。
【００３５】
ここで、音量制御部１１ａは、マイク４０がスピーカ２０ａに所定距離近づいたと判断し、スピーカ２０ａからの出力音量を０にしたとする。
【００３６】
この場合、音量制御部１１ａは、低減させた出力音量（６０ｐｈｏｎ）を他のスピーカの数（この例ではスピーカ２０ｂ及びスピーカ２０ｃの２つ）で除して平均の出力音量（３０ｐｈｏｎ）を算出する。音量制御部１１ａは、スピーカ２０ｂの出力音量が平均の出力音量（３０ｐｈｏｎ）を加えた値（６０＋３０＝９０ｐｈｏｎ）となるよう、増幅回路１４３ｂにおける増幅率を上げる。また、音量制御部１１ａは、スピーカ２０ｃの出力音量が平均の出力音量（３０ｐｈｏｎ）を加えた値（６０＋３０＝９０ｐｈｏｎ）となるよう、増幅回路１４３ｃにおける増幅率を上げる。
【００３７】
このようなカラオケ装置１によれば、低減させた出力音量分を均等に他のスピーカの出力音量に割り振ることにより、合計出力音量としては一定の値を保つことができる。従って、歌唱者等に与える聴感上の違和感を低減できる。また、出力音量を均等に割り振ることにより、あるスピーカからの出力音量だけが上がることにより生じる聴覚上の違和感を低減できる。
【００３８】
（第３の例）
第３の例において、音量制御部１１ａは、一のスピーカに対する他のスピーカそれぞれの距離に基づく比率を低減させた出力音量に乗算した、距離に基づく出力音量を他のスピーカ毎に算出し、他のスピーカそれぞれの出力音量が距離に基づく出力音量を加えた値となるよう調整する。
【００３９】
図６は、音量制御部１１ａによる制御の第３の例を示す模式図である。この例において、通常時の各スピーカからの出力音量は、それぞれ６０ｐｈｏｎであるとする。また、スピーカ２０ａに対するスピーカ２０ｂの距離は２ｍであり、スピーカ２０ａに対するスピーカ２０ｃの距離は４ｍであるとする。
【００４０】
ここで、音量制御部１１ａは、マイク４０がスピーカ２０ａに所定距離近づいたと判断し、スピーカ２０ａからの出力音量を０にしたとする。
【００４１】
この場合、音量制御部１１ａは、スピーカ２０ａに対するスピーカ２０ｂの距離に基づく比率（１／３）を、低減させた出力音量（６０ｐｈｏｎ）に乗算し、距離に基づく出力音量（２０ｐｈｏｎ）を算出する。そして、音量制御部１１ａは、スピーカ２０ｂの出力音量が距離に基づく出力音量を加えた値（６０＋２０＝８０ｐｈｏｎ）となるよう、増幅回路１４３ｂにおける増幅率を上げる。一方、音量制御部１１ａは、スピーカ２０ａに対するスピーカ２０ｃの距離に基づく比率（２／３）を、低減させた出力音量（６０ｐｈｏｎ）に乗算し、距離に基づく出力音量（４０ｐｈｏｎ）を算出する。そして、音量制御部１１ａは、スピーカ２０ｃの出力音量が距離に基づく出力音量を加えた値（６０＋４０＝１００ｐｈｏｎ）となるよう、増幅回路１４３ｃにおける増幅率を上げる。
【００４２】
このようなカラオケ装置１によれば、一のスピーカの出力音量を、スピーカ間の距離に基づいて、他のスピーカの出力音量に割り振ることにより、合計出力音量としては一定の値を保つことができる。従って、歌唱者等に与える聴感上の違和感を低減できる。
【００４３】
（第４の例）
第４の例において、音量制御部１１ａは、他のスピーカそれぞれの出力音量が均等となるよう調整する。複数のスピーカがある場合、各スピーカからの出力音量は通常時には均等となっている。この例では、何らかの理由により、各スピーカの出力音量が均等でない場合において、一のスピーカの出力音量が低減された際の音量制御部１１ａの制御について述べる。
【００４４】
図７は、音量制御部１１ａによる制御の第４の例を示す模式図である。この例において、通常時のスピーカ２０ａからの出力音量は６０ｐｈｏｎであり、スピーカ２０ｂからの出力音量は２０ｐｈｏｎであり、スピーカ２０ｃからの出力音量は４０ｐｈｏｎであるとする。
【００４５】
ここで、音量制御部１１ａは、マイク４０がスピーカ２０ａに所定距離近づいたと判断し、スピーカ２０ａからの出力音量を０にしたとする。
【００４６】
この場合、音量制御部１１ａは、スピーカ２０ｂの出力音量とスピーカ２０ｃの出力音量とが均等になるよう、低減させた出力音量（６０ｐｈｏｎ）を割り振る。すなわち、音量制御部１１ａは、スピーカ２０ｂの出力音量とスピーカ２０ｃの出力音量がそれぞれ９０ｐｈｏｎとなるよう調整する。具体的には、音量制御部１１ａは、スピーカ２０ｂの出力音量（２０ｐｈｏｎ）が９０ｐｈｏｎとなるよう、増幅回路１４３ｂにおける増幅率を上げる。また、音量制御部１１ａは、スピーカ２０ｃの出力音量（４０ｐｈｏｎ）が９０ｐｈｏｎとなるよう、増幅回路１４３ｃにおける増幅率を上げる。
【００４７】
このようなカラオケ装置１によれば、他のスピーカからの出力音量が均等になるように低減させた出力音量を割り振ることにより、合計出力音量としては一定の値を保つことができる。従って、他のスピーカから出力される出力音量が均等になることから、歌唱者等に与える聴感上の違和感をより低減できる。
【００４８】
上記実施形態等は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００４９】
１  カラオケ装置
１０  カラオケ本体
１１ａ  音量制御部
１４  音響処理部
２０ａ〜２０ｃ  スピーカ
４０  マイク
【図１】
2017219581.tif 000003
【図２】
2017219581.tif 000004
【図３】
2017219581.tif 000005
【図４】
2017219581.tif 000006
【図５】
2017219581.tif 000007
【図６】
2017219581.tif 000008
【図７】
2017219581.tif 000009